(57)【要約】【課題】格納状態に至る前の近傍において支柱部材を支持する従来の保持機構では、確実な操作が困難である。【解決手段】本発明では、上部横桟部材１ｕと下部横桟部材１ｄ間に、複数の支柱部材２を平行リンク機構を構成するように回動可能に連結して、支柱部材が起立した使用状態と、倒れた格納状態の間で操作可能に構成し、上記支柱部材を起立姿勢で保持する第１の保持機構５を設けると共に、下部横桟部材の上側には、上記格納状態に至る前の近傍において支柱部材を支持する第２の保持機構を設け、第２の保持機構は、下部横桟部材に沿って複数設置し、夫々保持姿勢から非保持姿勢の間で回動可能に構成した保持片６と、その連動機構とから構成した折り畳み式サイドレールを提案する。【選択図】図３
2009118981.tif 000002
【特許請求の範囲】
【請求項１】
上部横桟部材と下部横桟部材間に、複数の支柱部材を平行リンク機構を構成するように回動可能に連結して、支柱部材が起立した使用状態と、倒れた格納状態の間で操作可能に構成し、上記支柱部材を起立姿勢で保持する第１の保持機構を設けると共に、下部横桟部材の上側には、上記格納状態に至る前の近傍において支柱部材を支持する第２の保持機構を設け、第２の保持機構は、下部横桟部材に沿って複数設置し、夫々保持姿勢から非保持姿勢の間で回動可能に構成した保持片と、その連動機構とから構成したことを特徴とする折り畳み式サイドレール。
【請求項２】
第２の保持機構は、夫々の保持片に連動腕を突設し、夫々の連動腕を平行リンク機構を構成するように連動棒体により連結して構成したことを特徴とする請求項１に記載の折り畳み式サイドレール。
【請求項３】
第２の保持機構は、夫々の保持片を、横方向に保持片に回動可能に支持される支持棒部を突設した連動棒体で連結して構成したことを特徴とする請求項１に記載の折り畳み式サイドレール。
【請求項４】
第２の保持機構は、支柱部材の倒れる方向側の下部に形成した係合突部と、下部横桟部材に設けて、上記係合突部を係合させる台座部と、複数の支柱部材の係合突部に対応する台座部を連結して移動可能とする連結部材とから構成したことを特徴とする請求項１に記載の折り畳み式サイドレール。
【請求項５】
第２の保持機構は、支柱部材の倒れる方向側の下部に揺動可能に垂下支持した係合突部と、下部横桟部材に設けて、上記係合突部を係合させる係合孔と、複数の支柱部材の係合突部に対応する係合孔を覆う移動可能な覆い部材とから構成したことを特徴とする折り畳み式サイドレール。
【請求項６】
第２の保持機構は、支柱部材の倒れる方向側の下部に揺動可能に垂下支持した係合突部と、複数の係合突部を連動させる連動棒体と、係合突部を傾斜させる解除部材とから構成したことを特徴とする請求項１に記載の折り畳み式サイドレール。
【請求項７】
第２の保持機構は、夫々の保持片を突設したローラーと、複数のローラーを連動して下部横桟部材の上面に移動可能に構成した連動操作部とから構成したことを特徴とする請求項１に記載の折り畳み式サイドレール。
【請求項８】
ローラーの外周にピニオン部を形成すると共に、下部横桟部材の上面にラック部を設けたことを特徴とする請求項７に記載の折り畳み式サイドレール。
【請求項９】
第２の保持機構は、下部横桟部材に回転可能に支持した複数のローラーの夫々に保持片を突設し、夫々のローラーの外周にピニオン部を形成すると共に、夫々のローラーのピニオン部に噛み合うラック部を設けた共通の連動操作部を下部横桟部材に沿って移動可能に構成したことを特徴とする請求項１に記載の折り畳み式サイドレール。
【請求項１０】
保持片は保持姿勢方向にばねにより付勢していることを特徴とする請求項１〜９までのいずれか１項に記載の折り畳み式サイドレール。
【発明の詳細な説明】
【技術分野】
【０００１】
本発明は、ベッド等用の折り畳み式サイドレール、特に、上部横桟部材と下部横桟部材間に、複数の支柱部材を平行リンク機構を構成するように回動可能に連結した構成の折り畳み式サイドレールに関するものである。
【背景技術】
【０００２】
ベッドのサイドレールとしては各種のものが従来から提供されているが、このうち、上部横桟部材と下部横桟部材間に、複数の支柱部材を平行リンク機構を構成するように回動可能に連結し、上記支柱部材を起立姿勢で保持して使用状態とすると共に、支柱部材を倒して上部横桟部材を平行に下降して不使用時の格納状態とする折り畳み式サイドレールが広く使用されている。このような折り畳み式サイドレールでは、ベッドからの離床や介助等の邪魔にならないようにするため、不使用時の格納状態において、上部横桟部材の高さができるだけ低く維持されることが望まれる。このためには格納状態において重なる複数の支柱部材間の隙間が無いか、あるいはできるだけ小さくなるようにすれば良い。
【０００３】
しかしながらサイドレールを操作して格納状態にしようとした際に、操作者（使用者）や第三者が無意識に支柱部材間に指を入れていたり、また一度格納状態とした際に布団等の異物が挟まって隙間ができ、この隙間に指を入れている状態で、他の人が上部横桟部材に荷重を加えると、支柱部材間に指を挟んでしまって非常に危険である。
【０００４】
このような危険性を無くすために、例えば特許文献１には、サイドレールが格納状態に至る前の近傍において支柱がそれ以上倒れるのを防ぐための保持片を下部横桟部材の上側に設け、この保持片は保持姿勢方向にばねによって付勢した構成が提案されている。
【０００５】
この構成では格納状態に至る前の近傍に支柱部材が倒れてくると、ばねによって保持姿勢に維持されている保持片に当接して支持され、この位置では、支柱部材間に所定幅の空間が形成されているため指が挟まれないというものである。
【０００６】
こうして支柱部材を一旦、この位置に保持した後、保持片をばねの付勢に抗して回動させて非保持姿勢に支持し、回動が可能となった状態で格納状態まで支柱部材を倒すことができるというものである。
【特許文献１】特許第２６９７７６５号公報
【発明の開示】
【発明が解決しようとする課題】
【０００７】
上記特許文献１に記載の保持片は、強度上、少なくとも２個所以上に設ける必要があるが、この場合には、一人で保持片を非保持姿勢に支持しながらサイドレールを下降操作するのは困難である。３個所以上であると一人で操作することは不可能となる。
本発明は、以上の課題を解決することを目的とするものである。
【課題を解決するための手段】
【０００８】
上述した課題を解決するために、本発明では、まず、上部横桟部材と下部横桟部材間に、複数の支柱部材を平行リンク機構を構成するように回動可能に連結して、支柱部材が起立した使用状態と、倒れた格納状態の間で操作可能に構成し、上記支柱部材を起立姿勢で保持する第１の保持機構を設けると共に、下部横桟部材の上側には、上記格納状態に至る前の近傍において支柱部材を支持する第２の保持機構を設け、第２の保持機構は、下部横桟部材に沿って複数設置し、夫々保持姿勢から非保持姿勢の間で回動可能に構成した保持片と、その連動機構とから構成した折り畳み式サイドレールを提案する。
【０００９】
そして本発明では、上記の構成において、第２の保持機構は、夫々の保持片に連動腕を突設し、夫々の連動腕を平行リンク機構を構成するように連動棒体により連結して構成することを提案する。
【００１０】
また本発明では、上記の構成において、第２の保持機構は、夫々の保持片を、横方向に保持片に回動可能に支持される支持棒部を突設した連動棒体で連結して構成することを提案する。
【００１１】
また本発明では、上記の構成において、第２の保持機構は、支柱部材の倒れる方向側の下部に形成した係合突部と、下部横桟部材に設けて、上記係合突部を係合させる台座部と、複数の支柱部材の係合突部に対応する台座部を連結して移動可能とする連結部材とから構成することを提案する。
【００１２】
また本発明では、上記の構成において、第２の保持機構は、支柱部材の倒れる方向側の下部に揺動可能に垂下支持した係合突部と、下部横桟部材に設けて、上記係合突部を係合させる係合孔と、複数の支柱部材の係合突部に対応する係合孔を覆う移動可能な覆い部材とから構成することを提案する。
【００１３】
また本発明では、上記の構成において、第２の保持機構は、支柱部材の倒れる方向側の下部に揺動可能に垂下支持した係合突部と、複数の係合突部を連動させる連動棒体と、係合突部を傾斜させる解除部材とから構成することを提案する。
【００１４】
また本発明では、上記の構成において、第２の保持機構は、夫々の保持片を突設したローラーと、複数のローラーを連動して下部横桟部材に沿って移動可能に構成した連動操作部とから構成することを提案すると共に、加えてローラーの外周にピニオン部を形成すると共に、下部横桟部材の上面にラック部を設けることを提案する。
【００１５】
また本発明では、上記の構成において、第２の保持機構は、下部横桟部材に回転可能に支持した複数のローラーの夫々に保持片を突設し、夫々のローラーの外周にピニオン部を形成すると共に、夫々のローラーのピニオン部に噛み合うラック部を設けた共通の連動操作部を下部横桟部材に沿って移動可能に構成することを提案する。
【００１６】
更に本発明では、以上の構成において、保持片は保持姿勢方向にばねにより付勢することを提案する。
【発明の効果】
【００１７】
本発明の折り畳み式サイドレールでは、格納操作においては、支柱部材を格納状態に至る前の近傍において第２の保持機構を構成する保持片等によって一時的に保持することができ、この保持片は連動機構により非保持姿勢に同時に操作することができるので、複数の保持片を片手で操作して支柱部材を更に格納状態へと倒すことができる。
【００１８】
このため保持片は２個所以上に設けることができるので強度上の問題を生じず、格納状態への操作が容易である。
【発明を実施するための最良の形態】
【００１９】
次に本発明の折り畳み式サイドレールの実施の形態を添付図面を参照して説明する。
まず図１〜図４は本発明を適用する折り畳み式サイドレールの全体構成と、その動作を概して示すものである。
図１〜図４において、符号１ｕは上部横桟部材、１ｄは下部横桟部材であり、これらの上部横桟部材１ｕと下部横桟部材１ｄ間に、複数の支柱部材２、この場合１２本の支柱部材２を、平行リンク機構を構成するように回動可能に連結している。
【００２０】
図３、図４において、符号３は下部横桟部材１ｄの下方に突設した取付棒体であり、この取付棒体３をベッドのフレームの上面に形成した嵌合孔に嵌合することにより、サイドレールをベッド４の側部に取り付ける構成としている。また符号５は支柱部材２を起立状態、即ちサイドレールの使用状態に保持するための保持機構、即ち上述した第１の保持機構であり、この第１の保持機構５は、例えば上記特許文献１、特許文献２に記載されているような機構である。
【００２１】
一方、下部横桟部材１ｄには、格納状態に至る前の近傍状態において支柱部材２を支持する機構、即ち、下部横桟部材１ｄに沿って複数設置し、夫々保持姿勢から非保持姿勢の間で回動可能に構成した保持片６と、その連動機構とから構成した第２の保持機構を設けており、その詳細は以下のとおりである。尚、図１から図４においては、保持片６は、支柱部材２の３本当たり１個所に設けている例を図示しているが、全ての支柱部材２に対応して設けることもできるし、その個数は適宜である。以下の実施の形態においては、全ての支柱部材２に対応して設けた図を示している。
【００２２】
まず図５〜図７は第２の保持機構の第１の実施の形態を示すものである。
この第２の保持機構は、夫々の保持片６に連動腕７を突設し、夫々の連動腕７を平行リンク機構を構成するように連動棒体８により連結して構成しており、連動棒体８は下部横桟部材１ｄの内部に構成されている。図中９は連動棒体８に突設した連結ピンであり、この連結ピン９は連動腕７に形成した長孔１０に係合して連結している。
【００２３】
以上の実施の形態によれば、いずれかの保持片６を手動操作して図６、図７に示すように保持姿勢から非保持姿勢に回動することにより、連動腕７、連動棒体８により、連結された全ての保持片６が同時に非保持姿勢となるので、この状態において支柱部材２を更に格納状態へと倒すことができる。
【００２４】
保持片６は保持姿勢方向にばね（図示省略）により付勢しておけば、保持姿勢とする操作を忘れることがないので安全である。この場合、ばねは各保持片６毎に設けても良いし、連動機構により連動する構成であるから、適所に適数を構成することができる。このことは、後述する他の実施の形態においても同様であるため重複する説明は省略する。
【００２５】
こうして、この実施の形態では、いずれか一つの保持片６を操作することにより全ての保持片６を操作することができるので、一つの保持片６を片手で操作して支柱部材２を更に格納状態へと倒すことができる。
【００２６】
次に図８〜図１１は第２の保持機構の第２の実施の形態を示すものである。
この第２の保持機構は、夫々の保持片６を、横方向に保持片６に回動可能に支持される支持棒部１１を突設した連動棒体１２で連結して構成している。
【００２７】
この実施の形態では、連動棒体１２は外部に露出しているが、構成が非常に簡素となる。またこの実施の形態における動作は、図９〜図１１により自明であるので説明は省略する。
【００２８】
次に、図１２〜図１４は第２の保持機構の第３の実施の形態を示すものである。
この第２の保持機構は、支柱部材２の倒れる方向側の下部に形成した係合突部１３と、下部横桟部材１ｄに設けて、上記係合突部１３を係合させる台座部１４と、複数の支柱部材２の係合突部１３に対応する台座部１４を連結して移動可能とする連結部材１４とから構成している。
【００２９】
この構成においては、図１２の折り畳み式サイドレールの使用状態から図１４の格納状態に移行する操作を行うと、支柱部材２を格納状態に至る前の近傍において係合突部１３が台座部１４に当接するため、支柱部材２を一時的に保持することができる。
【００３０】
次いで、上部横桟部材１ｕにより支柱部材２を少し上昇させながら連結部材１４を図中右方向に移動すると、図１４に示すように、係合突部１３が台座部１４に当接しなくなるので、支柱部材２は更に格納状態へと倒すことができる。
【００３１】
以上のことからこの実施の形態の第２の保持機構では、図１３の状態が保持姿勢、図１４の状態が非保持姿勢である。そしてこの実施の形態において、係合突部１３や台座部１４の形状は適宜である。
【００３２】
次に、図１５〜図１７は第２の保持機構の第４の実施の形態を示すものである。
この第２の保持機構は、支柱部材２の倒れる方向側の下部に揺動可能に垂下支持した係合突部１６と、下部横桟部材１ｄに設けて、上記係合突部１６を係合させる係合孔１７と、複数の支柱部材２の係合突部１６に対応する係合孔１７を覆う移動可能な覆い部材１８とから構成している。
【００３３】
この構成においては、図１５の折り畳み式サイドレールの使用状態から図１６の格納状態に移行する操作を行うと、支柱部材２を格納状態に至る前の近傍において係合突部１６が覆い部材１８に当接するため、支柱部材２を一時的に保持することができる。
【００３４】
次いで、上部横桟部材１ｕにより支柱部材２を少し上昇させながら覆い部材１８を図中右方向に移動すると、図１７に示すように、係合突部１３が覆い部材１８に当接せず、係合孔１７に係合するようになるので、支柱部材２は更に格納状態へと倒すことができる。
【００３５】
以上のことからこの実施の形態の第２の保持機構では、図１５、図１６の状態が保持姿勢、図１７の状態が非保持姿勢である。
【００３６】
次に、図１８〜図２１は第２の保持機構の第５の実施の形態を示すものである。
この第２の保持機構は、支柱部材２の倒れる方向側の下部に揺動可能に垂下支持した係合突部１９と、複数の係合突部１９を連動させる連動棒体２０と、係合突部１９を傾斜させる解除部材２１とから構成している。
【００３７】
この構成においては、図１８の折り畳み式サイドレールの使用状態から図２１の格納状態に移行する操作を行うと、支柱部材２を格納状態に至る前の近傍において係合突部１９が垂下状態となって下部横桟部材１ｄの上面にに当接するため、支柱部材２を一時的に保持することができる。
【００３８】
次いで、上部横桟部材１ｕにより支柱部材２を少し上昇させながら解除部材２１を図中時計回りに回動して一つの係合突部１９を図中時計回りに回動させると、連動棒体２０により他の係合突部１９も連動し、これらの連動棒体１９が図２０に示すように傾斜状態となる。この状態では、係合突部１９は下部横桟部材１ｄの上面に当接すると傾斜するため支持はされず、従って支柱部材２は更に格納状態へと倒すことができる。
【００３９】
以上のことからこの実施の形態の第２の保持機構では、図１８、図１９の状態が保持姿勢、図２０、図２１の状態が非保持姿勢である。
【００４０】
次に、図２２は第２の保持機構の第６の実施の形態を示すものである。
この第２の保持機構は、夫々の保持片２２を突設したローラー２３と、複数のローラー２３を連動して移動可能に構成した連動操作部２４と、ローラー２３の外周に形成したピニオン部２５と、下部横桟部材の上面に設けたラック部２６とから構成している。尚、図においては連動操作部２４は便宜的に２点鎖線と破線により示している。
【００４１】
この構成においては、折り畳み式サイドレールの使用状態から格納状態に移行する操作を行うと、支柱部材２は格納状態に至る前の近傍において、上方を向いている保持片２２に当接するため、支柱部材２は一時的に保持される。
【００４２】
次いで、上部横桟部材１ｕにより支柱部材２を少し上昇させながら連動操作部２４を２点鎖線の状態から破線の状態の方向に移動すると、夫々のローラー２３は、それらのピニオン部２５が下部横桟部材１ｄ側のラック部２６と噛み合いながら移動するため、夫々のローラー２３が図中右方向に移動するにつれて保持片２２は図中破線により示すように次第に下降して行く。従って支柱部材２は更に格納状態へと倒すことができる。
【００４３】
以上のことからこの実施の形態の第２の保持機構では、図２２中、連動操作部２４が２点鎖線の時の保持片２２の状態が保持姿勢、破線の時の保持片２２の状態が非保持姿勢である。
【００４４】
以上に説明した第５の実施の形態では、ローラー２３の外周に形成したピニオン部２５と、下部横桟部材１ｄの上面に設けたラック部２６とを噛み合わせて動作させる構成としているが、ローラー２３の外周と下部横桟部材１ｄの上面とを直接的に接触させて、摩擦抵抗により動作させる構成とすることもできる。この場合には、これらの接触面に摩擦部材を設けることもできる。
【００４５】
次に、図２３、図２４は第２の保持機構の第７の実施の形態を示すものである。
この第２の保持機構は、下部横桟部材１ｄに回転可能に支持した複数のローラー２７の夫々に保持片２８を突設し、夫々のローラー２７の外周にピニオン部２９を形成すると共に、夫々のローラー２７のピニオン部２９に噛み合うラック部３０を設けた共通の連動操作部３１を下部横桟部材１ｄに沿って移動可能に構成している。
【００４６】
この構成においては、折り畳み式サイドレールの使用状態から格納状態に移行する操作を行うと、支柱部材２は格納状態に至る前の近傍において、図２３に示すように上方を向いている保持片２８に当接するため、支柱部材２は一時的に保持される。
【００４７】
次いで、上部横桟部材１ｕにより支柱部材２を少し上昇させながら連動操作部３１を図２３の矢印方向に移動すると、夫々のローラー２７は、それらのピニオン部２９が、移動する連動操作部３１のラック部３０に駆動されて、夫々図中時計回りに回動するので、保持片２８は図２４に示すように次第に下降して行く。従って支柱部材２は更に格納状態へと倒すことができる。
【００４８】
以上のことからこの実施の形態の第２の保持機構では、図２３の保持片２２の状態が保持姿勢、図２４の保持片２２の状態が非保持姿勢である。
【産業上の利用可能性】
【００４９】
本発明の折り畳み式サイドレールは以上の通りであるので、格納状態に至る前の近傍において支柱部材を支持する保持機構の操作を、一人でも容易に、確実に行えるという利点がある。
【００５０】
本発明の折り畳み式サイドレールは、医療用のベッドばかりでなく、家庭用の介護ベッドや、一般のベッドにも利用できるものである。
【図面の簡単な説明】
【００５１】
【図１】本発明の折り畳み式サイドレールの実施の形態を使用状態において示す説明図である。
【図２】本発明の折り畳み式サイドレールの実施の形態を格納状態において示す説明図である。
【図３】本発明の折り畳み式サイドレールの実施の形態を格納状態の近傍の一時停止状態において示す説明図である。
【図４】図３の要部拡大図である。
【図５】本発明の折り畳み式サイドレールの第２の保持機構の第１の実施の形態の要部の構成及び動作を示す側面図である。
【図６】本発明の折り畳み式サイドレールの第２の保持機構の第１の実施の形態の要部の構成及び動作を他の局面において示す側面図である。
【図７】本発明の折り畳み式サイドレールの第２の保持機構の第１の実施の形態の要部の構成及び動作を更に他の局面に示す側面図である。
【図８】本発明の折り畳み式サイドレールの第２の保持機構の第２の実施の形態の要部の構成及び動作を示す斜視図である。
【図９】本発明の折り畳み式サイドレールの第２の保持機構の第２の実施の形態の要部の構成及び動作を示す側面図である。
【図１０】本発明の折り畳み式サイドレールの第２の保持機構の第２の実施の形態の要部の構成及び動作を他の局面において示す側面図である。
【図１１】本発明の折り畳み式サイドレールの第２の保持機構の第２の実施の形態の要部の構成及び動作を更に他の局面に示す側面図である。
【図１２】本発明の折り畳み式サイドレールの第２の保持機構の第３の実施の形態の要部の構成及び動作を示す斜視図である。
【図１３】本発明の折り畳み式サイドレールの第２の保持機構の第３の実施の形態の要部の構成及び動作を示す側面図である。
【図１４】本発明の折り畳み式サイドレールの第２の保持機構の第３の実施の形態の要部の構成及び動作を他の局面において示す側面図である。
【図１５】本発明の折り畳み式サイドレールの第２の保持機構の第４の実施の形態の要部の構成及び動作を示す斜視図である。
【図１６】本発明の折り畳み式サイドレールの第２の保持機構の第４の実施の形態の要部の構成及び動作を示す側面図である。
【図１７】本発明の折り畳み式サイドレールの第２の保持機構の第４の実施の形態の要部の構成及び動作を他の局面において示す側面図である。
【図１８】本発明の折り畳み式サイドレールの第２の保持機構の第５の実施の形態の要部の構成及び動作を示す斜視図である。
【図１９】本発明の折り畳み式サイドレールの第２の保持機構の第５の実施の形態の要部の構成及び動作を示す側面図である。
【図２０】本発明の折り畳み式サイドレールの第２の保持機構の第５の実施の形態の要部の構成及び動作を他の局面において示す側面図である。
【図２１】本発明の折り畳み式サイドレールの第２の保持機構の第５の実施の形態の要部の構成及び動作を更に他の局面において示す側面図である。
【図２２】本発明の折り畳み式サイドレールの第２の保持機構の第６の実施の形態の要部の構成及び動作を示す側面図である。
【図２３】本発明の折り畳み式サイドレールの第２の保持機構の第７の実施の形態の要部の構成及び動作を他の局面において示す側面図である。
【図２４】本発明の折り畳み式サイドレールの第２の保持機構の第７の実施の形態の要部の構成及び動作を更に他の局面において示す側面図である。
【符号の説明】
【００５２】
１ｕ              上部横桟部材
１ｄ              下部横桟部材
２                支柱部材
３                取付棒体
４                ベッド
５                第１の保持機構
６                保持片
７                連動腕
８                連動棒体
９                連結
１０              長孔
１１              支持棒部
１２              連動棒体
１３              係合突部
１４              台座部
１５              連結部材
１６              係合突部
１７              係合孔
１８              覆い部材
１９              係合突部
２０              連動棒体
２１              解除部材
２２              保持片
２３              ローラー
２４              連動操作部
２５              ピニオン部
２６              ラック部
２７              ローラー
２８              保持片
２９              ピニオン部
３０              ラック部
３１              連動操作部
【図１】
2009118981.tif 000003
【図２】
2009118981.tif 000004
【図３】
2009118981.tif 000005
【図４】
2009118981.tif 000006
【図５】
2009118981.tif 000007
【図６】
2009118981.tif 000008
【図７】
2009118981.tif 000009
【図８】
2009118981.tif 000010
【図９】
2009118981.tif 000011
【図１０】
2009118981.tif 000012
【図１１】
2009118981.tif 000013
【図１２】
2009118981.tif 000014
【図１３】
2009118981.tif 000015
【図１４】
2009118981.tif 000016
【図１５】
2009118981.tif 000017
【図１６】
2009118981.tif 000018
【図１７】
2009118981.tif 000019
【図１８】
2009118981.tif 000020
【図１９】
2009118981.tif 000021
【図２０】
2009118981.tif 000022
【図２１】
2009118981.tif 000023
【図２２】
2009118981.tif 000024
【図２３】
2009118981.tif 000025
【図２４】
2009118981.tif 000026